(57)【要約】【課題】肌触りが良く、かつ、運動等による接触対象物との瞬間的な相対移動を許容して、安定した滑り止め機能を発揮する経編みの弾性編地を提供することである。【解決手段】経糸１で作られたループ状の編み目２を緯糸３で連結し、経糸１に弾性糸４を交編みした経編みの弾性編地に、複数のフロート弾性糸５を、経方向に編み目２を飛ばした長い編み込み部５ａ間のスパンでフロート編みすることにより、スパンと直角方向へのフロート弾性糸５の撓み量を大きくし、運動等による接触対象物との瞬間的な相対移動をソフトに許容して、安定した滑り止め機能を発揮できるようにした。【選択図】図１
2005120548.tif 000002
【特許請求の範囲】
【請求項１】
経糸で作られたループ状の編み目を緯方向に連結し、前記経糸に弾性糸を交編みするか、前記経糸に被覆弾性糸を用いるかした経編みの弾性編地において、前記編み目を経方向に飛ばしてフロート弾性糸をフロート編みしたことを特徴とする弾性編地。
【請求項２】
前記フロート弾性糸を緯方向の前記編み目にずらしてフロート編みした請求項１に記載の弾性編地。
【請求項３】
前記フロート弾性糸を経方向に飛ばす編み目の数を３個以上とした請求項１または２に記載の弾性編地。
【発明の詳細な説明】
【技術分野】
【０００１】
本発明は、滑り止め機能を有する経編みの弾性編地に関するものである。
【背景技術】
【０００２】
バンデージ、サポータ、各種衣料等に用いられる弾性編地は、肌等の接触対象物との滑り止め機能を要求されるものが多い。各種編地に滑り止め機能を付与する手段としては、表面にゴム材を点状や線状に塗布する方法がよく知られているが、バンデージやサポータ等のように、肌との滑り止め機能を要求されるものでは、ゴム材の肌触りが良くないので好ましくない。
【０００３】
肌触りの良さを考慮した滑り止め機能を有する弾性編地としては、同一編み目に２本以上の弾性糸でループ編み目を形成したもの（例えば、特許文献１参照。）や、丸編みのストッキングを対象として、その履き口部の内周面に弾性糸をフロート編みしたもの（例えば、特許文献２参照。）がある。これらの弾性編地は、摩擦係数の高い弾性糸を編地の表面に露出させて接触対象物と接触させることにより、滑り止め機能を持たせるものである。
【０００４】
【特許文献１】特開平６−５７６０１号公報（第２−８頁、第１−３図）
【特許文献２】特開平６−５７６０１号公報（第２−４頁、第１−３図）
【発明の開示】
【発明が解決しようとする課題】
【０００５】
上述した特許文献１に記載の弾性編地は、経編みにも緯編みにも適用でき、かつ、両面に滑り止め用の弾性糸を露出させることができるが、編み目間での弾性糸のスパンが短いのでスパンと直角方向への弾性糸の撓み量が少なく、運動等による編地本体と接触対象物との瞬間的な相対移動をあまり許容することができない。このため、編地本体と接触対象物との瞬間的な相対移動が多い部位に着用されると、相対移動した編地本体が元の位置に戻らなくなって、安定した滑り止め機能を発揮できない問題がある。
【０００６】
一方、特許文献２に記載の弾性編地は、丸編み（緯編み）のものに限定されて、バンデージやサポータ用等の経編みの弾性編地には適用できず、かつ、緯編みと直角方向にしか滑り止め機能を発揮できない。
【０００７】
そこで、本発明の課題は、肌触りが良く、かつ、運動等による接触対象物との瞬間的な相対移動を許容して、安定した滑り止め機能を発揮する経編みの弾性編地を提供することである。
【課題を解決するための手段】
【０００８】
上記の課題を解決するために、本発明は、経糸で作られたループ状の編み目を緯方向に連結し、前記経糸に弾性糸を交編みするか、前記経糸に被覆弾性糸を用いるかした経編みの弾性編地において、前記編み目を経方向に飛ばしてフロート弾性糸をフロート編みした構成を採用した。
【０００９】
すなわち、編み目を経方向に飛ばしてフロート弾性糸をフロート編みすることにより、編み目間でのフロート弾性糸のスパンを長くして、フロート弾性糸のスパンと直角方向への撓み量を大きくし、運動等による接触対象物との瞬間的な相対移動を許容して、安定した滑り止め機能を発揮できるようにした。また、フロート弾性糸は長いスパンで撓んで接触対象物との相対移動を許容するので、この相対移動をソフトに許容することができ、バンデージやサポータ等のように、肌との滑り止め機能を要求されるものに好適である。
【００１０】
前記フロート弾性糸を緯方向の前記編み目にずらしてフロート編みにすることにより、多方向への滑り止め機能を発揮することができる。
【００１１】
前記フロート弾性糸を経方向に飛ばす編み目の数を３個以上とすることにより、編み目間でのフロート弾性糸のスパンを十分に長くして、接触対象物との瞬間的な相対移動をより大きく、かつソフトに許容することができる。
【発明の効果】
【００１２】
本発明の弾性編地は、経編みの編み目を経方向に飛ばしてフロート弾性糸をフロート編みするようにしたので、編み目間でのフロート弾性糸のスパンを長くして、フロート弾性糸のスパンと直角方向への撓み量を大きくし、運動等による接触対象物との瞬間的な相対移動を許容して滑り止め機能を発揮することができる。また、フロート弾性糸は長いスパンで撓んで接触対象物との相対移動を許容するので、この相対移動をソフトに許容することができ、バンデージやサポータ等のように、肌との滑り止め機能を要求されるものに好適である。
【００１３】
前記フロート弾性糸を緯方向の編み目にずらしてフロート編みにすることにより、多方向への滑り止め機能を発揮することができる。
【００１４】
前記フロート弾性糸を経方向に飛ばす編み目の数を３個以上とすることにより、編み目間でのフロート弾性糸のスパンを十分に長くして、接触対象物との瞬間的な相対移動をより大きく、かつソフトに許容することができる。
【発明を実施するための最良の形態】
【００１５】
以下、図面に基づき、本発明の実施形態を説明する。図１は、第１の実施形態を示す。この弾性編地は、経糸１で作られたループ状の編み目２を緯糸３で連結し、経糸１に弾性糸４を交編みした経編みの弾性編地であり、複数のフロート弾性糸５が、経方向に４つの編み目２を飛ばしたスパンで緯方向に１列ずらした編み込み部５ａに係止され、１フロート毎に互いに平行に折り返してフロート編みされている。弾性糸４とフロート弾性糸５にはポリウレタン弾性糸が用いられている。なお、経糸１と緯糸３には、弾性か非弾性かを問わず、任意の素材が用いられる。
【００１６】
前記弾性編地は、接触対象物と長いスパンで接触するフロート弾性糸５が、スパンと直角方向の撓みで接触対象物との瞬間的な相対移動をソフトに許容し、縦横両方向に安定した滑り止め機能を発揮する。したがって、腕や脚部用のサポータやバンデージ等のように、動きの多い部位に装着される製品に好適である。
【００１７】
図２は、第２の実施形態を示す。この弾性編地も第１の実施形態のものと同様の経編みの弾性編地であり、各フロート弾性糸５の編み込み部５ａ間での経方向の編み目２の飛ばし数が３つとされ、各フロート弾性糸５が３フロート毎に互いに平行に折り返してフロート編みされている点が異なる。
【００１８】
図３は、第３の実施形態を示す。この弾性編地も経編みの弾性編地であり、第２の実施形態のものと同様に、各フロート弾性糸５が経方向で３つの編み目２を飛ばして、３フロート毎に折り返してフロート編みされているが、隣同士のフロート弾性糸５が互いに逆向きに折り返している点が第２の実施形態のものと異なる。
【００１９】
上述した各実施形態では、経糸に弾性糸を交編みした経編みの弾性編地としたが、経糸に被覆弾性糸を用いたものとすることもできる。また、フロート弾性糸をポリウレタン弾性糸としたが、フロート弾性糸には任意の種類、番手の弾性糸を用いることができる。フロート弾性糸は太番手にするほど滑り止め機能は向上するが、あまり太番手にすると肌触りが悪くなる。
【００２０】
さらに、フロート弾性糸の経方向への編み目の飛ばし数、フロート毎の緯方向への折り返しパターン、およびフロート弾性糸の編み目列に対する本数密度は、各実施形態のものに限定されることはなく、任意にデザインすることができる。なお、フロート弾性糸の緯方向への列のずらしはなくすこともできる。
【図面の簡単な説明】
【００２１】
【図１】第１の実施形態の弾性編地を示す編組織パターン図
【図２】第２の実施形態の弾性編地を示す編組織パターン図
【図３】第３の実施形態の弾性編地を示す編組織パターン図
【符号の説明】
【００２２】
１  経糸
２  編み目
３  緯糸
４  弾性糸
５  フロート弾性糸
５ａ  編み込み部
【図１】
2005120548.tif 000003
【図２】
2005120548.tif 000004
【図３】
2005120548.tif 000005